(57)【要約】【課題】壁面ボードにおいて、メモ類を、押しピン等を使用することなく簡単に取り付けられるようにする。【解決手段】薄板状のベース部材１の表面に、縦４２列、横４２列に整列された凸部２を設ける。凸部２は、円柱状の突起３とその頂部に突設されたピン部材４とによって構成する。凸部２には、ピン部材４が長いＸ凸部２Ａ，ピン部材４が短いＹ凸部２Ｂとがある。メモ類をピン４に差し込むことにより、押しピン等を使用することなく、確実にメモ類を貼り付けることができる。【選択図】図１
2009181013.tif 000002
【特許請求の範囲】
【請求項１】
メモ類を貼り付ける壁面ボードにおいて、
薄板状のベース部材と、
前記ベース部材の表面側に立設されて前記メモ類が突き刺される多数のピン部材と、を備える、
ことを特徴とする壁面ボード。
【請求項２】
前記ベース部材の表面に、前後左右に整列された状態で、隣接する相互の間に仕切板を挟み込んで立てるための突起が多数形成され、
前記ピン部材が前記突起の頂部に立設されている、
ことを特徴とする請求項１に記載の壁面ボード。
【請求項３】
前記ピン部材として、長さが異なる２種類以上が設けられている、
ことを特徴とする請求項１又は２に記載の壁面ボード。
【請求項４】
前記ベース部材は、裏面側に分割を容易にするためのスリットが設けられている、
ことを特徴とする請求項１ないし３のいずれか１項に記載の壁面ボード。
【請求項５】
前記ベース部材の裏面に両面テープが貼着されている、
ことを特徴とする請求項１ないし４のいずれか１項に記載の壁面ボード。
【請求項６】
前記ベース部材の少なくとも２箇所に、他部材に取り付けるための取付孔が形成されている、
ことを特徴とする請求項１ないし５のいずれか１項に記載の壁面ボード。
【請求項７】
前記ペース部材は、湾曲可能な軟質の合成樹脂によって形成されている、
ことを特徴とする請求項１ないし６のいずれか１項に記載の壁面ボード。
【発明の詳細な説明】
【技術分野】
【０００１】
本発明は、メモ類を貼り付ける壁面ボードに関する。
【背景技術】
【０００２】
メモやはがきやチケット等（以下「メモ類」という。）を貼り付けるピンアップボードが知られている（例えば、特許文献１参照）。このものは、正面側が開放された枠材に、コルク製の板を嵌め込んで構成されている。押しピンや画鋲をメモ類に突き刺して、さらにコルク製の板に刺し込むことで、ピンアップボードにメモ類を貼り付けることができる。
【特許文献１】特開２００２−２５９６８２号公報
【発明の開示】
【発明が解決しようとする課題】
【０００３】
しかしながら、上述のピンアップボードによると、メモ類を貼り付けるために、押しピンや画鋲を使用する必要がある。このため、これらが不用意に落下した場合には、誤って踏んづけて怪我をするおそれがあり、さらに、コルク製の板には、メモ類を貼り付けたり剥がしたりするごとに、押しピンや画鋲による多数の穴が空くため、美称性に劣るという問題があった。
【０００４】
そこで、本発明は、メモ類を貼り付けるのに押しピンや画鋲が不要で、したがってこれらが不用意に落下することに起因して怪我をするおそれがなく、また、押しピン等による美観を損ねる穴が空かない壁面ボードを提供することを目的とするものである。
【課題を解決するための手段】
【０００５】
請求項１に係る発明は、メモ類を貼り付ける壁面ボードに関する。この発明に係る壁面ボードは、薄板状のベース部材と、前記ベース部材の表面側に立設されて前記メモ類が突き刺される多数のピン部材と、を備える、ことを特徴としている。
【０００６】
請求項２に係る発明は、請求項１に係る壁面ボードにおいて、前記ベース部材の表面に、前後左右に整列された状態で、隣接する相互の間に仕切板を挟み込んで立てるための突起が多数形成され、前記ピン部材が前記突起の頂部に立設されている、ことを特徴としている。
【０００７】
請求項３に係る発明は、請求項１又は２に係る壁面ボードにおいて、前記ピン部材として、長さが異なる２種類以上が設けられている、ことを特徴としている。
【０００８】
請求項４に係る発明は、請求項１ないし３のいずれか１項に係る壁面ボードにおいて、前記ベース部材は、裏面側に分割を容易にするためのスリットが設けられている、ことを特徴としている。
【０００９】
請求項５に係る発明は、請求項１ないし４のいずれか１項に係る壁面ボードにおいて、前記ベース部材の裏面に両面テープが貼着されている、ことを特徴としている。
【００１０】
請求項６に係る発明は、請求項１ないし５のいずれか１項に係る壁面ボードにおいて、前記ベース部材の少なくとも２箇所に、他部材に取り付けるための取付孔が形成されている、ことを特徴としている。
【００１１】
請求項７に係る壁面ボードは、請求項１ないし６のいずれか１項に係る壁面ボードにおいて、前記ペース部材は、湾曲可能な軟質の合成樹脂によって形成されている、ことを特徴としている。
【発明の効果】
【００１２】
請求項１の発明によると、メモ類を、ベース部材の表面側に立設されたピン部材に突き刺すことで、押しピン等を使用することなく、壁面ボードに貼り付けることができる。このため、不要に落下した押しピン等を踏んづけることに起因する怪我を防止することができ、また、ベース部材に不要な穴が空くことがないので、美称性を損なうことがない。
【００１３】
請求項２の発明によると、ベース部材の表面の突起と突起との間に仕切板を立てて、ベース部材の表面を区画することができる。
【００１４】
請求項３の発明によると、例えば、長さの長いピン部材を適宜な間隔で配置することにより、大きなメモ類の上側と下側とをこれらのピン部材に刺し込むことで、確実に貼り付けることができる。
【００１５】
請求項４の発明によると、スリットで割ったり、スリットに沿ってカッタで切断したりすることで、ベース部材を適宜な大きさに分割することができる。
【００１６】
請求項５の発明によれば、両面テープにより、ベース部材を簡単に壁面に貼り付けることができる。
【００１７】
請求項６の発明によれば、例えば、取付孔に紐や針金を通すことで、他部材（例えば、屋外の柵や塀）に、ベース部材を簡単に取り付けることができる。
【００１８】
請求項７の発明によると、ベース部材が湾曲可能なので、平らな壁面のみならず、湾曲した壁面や円柱形の柱の表面に倣って取り付けることも可能である。
【発明を実施するための最良の形態】
【００１９】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２０】
図１〜図５を参照して、メモ類を取り付けるための、本発明に係る壁面ボード１０について説明する。ここでメモ類には、メモ、はがき、チケット、宝くじ等が含まれる。図１〜図５のうち、図１（ａ）は壁面ボード１０の上面図、（ｂ）は壁面ボード１０の右側面図、（ｃ）は壁面ボード１０の下側面図である。図２は壁面ボード１０の下面図である。図３は、Ｘ凸部２Ａの拡大断面図である。図４は、Ｙ凸部２Ｂの拡大断面図である。図５は、図１（ｂ）中のＣ部の拡大図である。
【００２１】
図１（ａ），（ｂ），（ｃ）に示すように、本発明に係る壁面ボード１０は、薄板状のベース部材１と、このベース部材１の表面に形成された多数の凸部２（Ｘ凸部２Ａ，Ｙ凸部２Ｂ）を備えており、凸部２は、図３，図４に示すように、突起３とその頂部３ａに立設されたピン部材４とを有している。そして、本実施形態においては、壁面ボード１０は、上述のベース部材１と、多数の突起２と、ピン部材３とが合成樹脂によって一体的に成型されている。なお、以下では、大きさのイメージを掴むために、各寸法について一例をあげるが、本発明はこれらの寸法に限定されないのはもちろんである。
【００２２】
ベース部材１は、縦、横とも２９５ｍｍ、厚さ１ｍｍの正方形の薄板状に形成されている。
【００２３】
ベース部材１の表面には、縦４２列、横４２列で正方形に整列されたほぼ円柱状の凸部２が形成されている。隣接する２つの凸部２間のピッチは、７ｍｍに設定されている。なお、凸部２は、後述するように、ピン部材４の長さが長いＸ凸部２Ａと、ピン部材４の長さが短いＹ凸部２Ｂとの２種類に分類される。凸部２は、図３，図４に示すように、円柱状の突起３と、その上部に突設されたピン部材４とによって構成されている。突起３は、図４に示すように、全体で４ｍｍの高さがあり、このうち下側の１．５ｍｍの部分は、直径が５ｍｍのストレートに形成され、上側の残りの２．５ｍｍは角度が２度のテーパが付けられている。突起３の裏面側には、１辺の長さが１．５ｍｍ（□１．５ｍｍ）で高さが３．５ｍｍの正四角柱状の凹部３ｂが形成されている。ピン部材４は、直径が１ｍｍであり、高さ（長さ）については、図３に示すものが２ｍｍと長く、図４に示すものは１．５ｍｍと短くなっている。ここで、２ｍｍのピン部材４を有する凸部をＸ凸部２Ａといい、１．５ｍｍのピン部材４を有する凸部をＹ凸部２Ｂといって、両者を区別する。この区別に従うと、図１に示すように、Ｘ凸部２Ａは、縦４２列、横４２列の凸部２のうち、縦については、上から１列目、１１列目、２１列目、２２列目、３２列目、４２列目が、また、横については、左から１列目、１１列目、２１列目、２２列目、３２列目、４２列目が、Ｘ凸部２Ａとなっており、残りの凸部２は、Ｙ凸部２Ｂとなっている。このように、ピン部材４に長さの異なる２種類のものを設けた理由は、例えば、サイズの小さいメモ類については、Ｘ凸部２ＡとＹ凸部２Ｂとのうちのいずれを使用して、メモ類をピン部材４に突き刺すようにしてもよいが、サイズの大きいメモ類については、図１（ａ）中の、間隔の離れた２列のＸ凸部２Ａを使用して、そのメモ類を確実に保持することができるからである。
【００２４】
上述のように、ベース部材１の表面に整列状態の多数の凸部２（Ｘ凸部２Ａ、Ｙ凸部２Ｂ）を設けることにより、隣接する２列の凸部２の間に凸部２の弾性を利用して、仕切板（不図示）を差し込んで立てることができる。これにより、壁面ボード１０の表面を複数の区画に分割することができるので、例えば、１つの壁面ボード１０を複数の人で使用するような場合に、各人ごとに区画を割り当てることができるので便宜である。なお、各突起３には、上述のようにテーパ（２度）が設けてあるので、仕切板の着脱は容易に行うことができる。仕切板としては、隣接する２個の突起３の間隙に応じた厚さを有する専用のものを使用するとよい。
【００２５】
図２，図５に示すように、本実施形態では、ベース部材１の裏面側に、左右方向を向いたスリット５が、上下に３列形成されている。例えば、このスリット５をガイドとして、カッタを利用して、切り込みを入れてベース部材１を分割することにより、適宜な大きさの壁面ボード１０として使用することができる。なお、ベース部材１の裏面１ａにおけるスリット５が形成されている部分１ｂは、強度が低下するのを防止するためにベース部材１の厚さが１．５ｍｍに設定されている。
【００２６】
図１，図２に示すように、ベース部材１の４隅には、凸部２ではなく、直径５ｍｍの取付孔６が穿設されている。この取付孔６は、壁面ボード１０全体を屋外で使用する場合に、これらの取付孔６に例えば紐や針金を通して、取付対象物（例えば、柱、柵、塀等）に取り付ける際に使用するものである。
【００２７】
上述のベース部材１０の裏面には、両面テープ（不図示）が貼着されていて、壁面等（不図示）に対して簡単に取り付けられるようになっている。
【００２８】
上述の構成の壁面ボード１０は、Ｘ凸部２Ａ及びＹ凸部２Ｂに立設されているピン部材４に、メモ類等を突き刺すことで、従来とは異なり、押しピンや画鋲を使用することなく、簡単にメモ類を貼り付けることができる。このため、押しピンや画鋲が不用意に落下して、踏みつける等の怪我が発生するおそれがなく、また、壁面ボード１０には、押しピン等による穴が形成されることがないので、長期間使用した場合であっても美称性を損ねることはない。
【００２９】
上述では、壁面ボード１０を本来の使用態様である、壁面に取り付けて使用する場合を例に説明したが、本発明に係る壁面ボード１０は、これに限定されず、例えば、ショウウインドウの中の棚（不図示）に水平に載置して、上述の凸部２の間に仕切板（不図示）を挟み込んで立てて、壁面ボード１０の表面を複数に区画し、その区画された部分に商品を陳列することも可能である。
【００３０】
上述の壁面ボード１０は、全体を例えば、軟質の合成樹脂で形成し、ベース部材１の厚さも適宜な薄さに設定することにより、湾曲した壁面や円柱状の柱の表面に対してもそれに倣うようにして取り付けることができるので便宜である。
【００３１】
なお、上述では壁面ボード１０を、ベース部材１の表面に突起３を突設し、その頂部３ａにピン部材４を設けて構成したが、これに代えて、例えば、突起３を省略して、長いピン部材４及び短いピン部材４を、ベース部材１の表面に直接設けるようにしてもよい。この場合でも、上述と同様に、メモ類をピン部材４に差し込んで有効に保持することができる。ただし、この場合には、仕切板を立てることはできない。
＜実施形態２＞
【００３２】
図６を参照して、実施形態２に係る壁面ボード１０Ａについて説明する。図６に示す壁面ボード１０Ａは、図１に示す壁面ボード１０において、Ｙ凸部２Ｂのうち、Ｘ凸部２Ａに隣接するＹ凸部２Ｂについて、すなわち図６（ａ）中の１６個の正方形Ｓの線上に位置するＹ凸部２Ｂについては、ピン部材４を形成しないようにした。これにより、壁面ボード１０Ａの表面を手の指で触れることで、長いピン部材４を有するＸ凸部２Ａを容易に識別できるので、Ｘ凸部２Ａを使用して、メモ類を貼り付ける際に便利である。
【図面の簡単な説明】
【００３３】
【図１】実施形態１の壁面ボードを説明する図であり、（ａ）は壁面ボードの上面図、（ｂ）は壁面ボードの右側面図、（ｃ）は壁面ボードの下側面図である。
【図２】壁面ボードの下面図である。
【図３】Ｘ凸部の拡大断面図である。
【図４】Ｙ凸部の拡大断面図である。
【図５】図１（ｂ）中のＣ部の拡大図である。
【図６】実施形態２の壁面ボードを説明する図であり、（ａ）は壁面ボードの上面図、（ｂ）は壁面ボードの右側面図、（ｃ）は壁面ボードの下側面図である。
【符号の説明】
【００３４】
１          ベース部材
２          凸部
２Ａ        Ｘ凸部
２Ｂ        Ｙ凸部
３          突起
３ａ        頂部
４          ピン部材
５          スリット
６          取付孔
１０，１０Ａ
壁面ボード
【図１】
2009181013.tif 000003
【図２】
2009181013.tif 000004
【図３】
2009181013.tif 000005
【図４】
2009181013.tif 000006
【図５】
2009181013.tif 000007
【図６】
2009181013.tif 000008